(57)【要約】【課題】スピーカ装置の識別情報に関係なくスピーカ装置を任意の位置に設置することができ、任意の場所に放音用音声信号を放音するための設定を行うことができる放送システムを提供することにある。【解決手段】放送システム１００は、売り場４１〜４３に設置されたスピーカ装置２ａ〜２ｅと、該スピーカ装置２ａ〜２ｅとＰＬＣ通信可能な送信機１と、から構成され、各売り場４１〜４３に対して放音すべきスピーカ装置２ａ〜２ｅをグループ化するグルーピングモードと、グループの放音用音声信号を放音する放音モードと、を備える。グルーピングモードでは、送信機１は、スピーカ装置２ａ〜２ｅに対して測定音の放音を要求し、売り場４１にあるマイクＭＩＣにて測定音を収音することで、放音すべきスピーカ装置２ａ，２ｂを検出してグループ化する。放音モードでは、送信機１は、グループ化したスピーカ装置２ａ，２ｂに売り場４１の放音用音声信号を送信する。【選択図】図１
2009253421.tif 000002
【特許請求の範囲】
【請求項１】
複数のスピーカ装置と、これらのスピーカ装置に対して一斉同報型通信可能な送信機と、からなる放送システムであって、
前記送信機は、前記複数のスピーカ装置に対して、各スピーカ装置の識別情報を含む測定信号の放射要求を行い、
前記複数のスピーカ装置は、それぞれ前記送信機からの放射要求に応じて、測定信号を放射し、
前記送信機は、前記測定信号を受信し、受信した測定信号からスピーカ装置の識別情報を取得して、該測定信号を放射したスピーカ装置を特定するとともに、特定したスピーカ装置への放音用音声信号の放音レベルを該測定信号の受信位置と各スピーカ装置との距離に基づいて決定して、特定したスピーカ装置から該放音レベルに応じた放音用音声信号を放音させる放送システム。
【請求項２】
複数のスピーカ装置と、これらのスピーカ装置に対して一斉同報型通信可能な送信機と、からなる放送システムであって、
前記送信機は、前記複数のスピーカ装置に対して、各スピーカ装置の識別情報を含む測定信号の放射要求を行い、
前記複数のスピーカ装置は、それぞれ前記送信機からの放射要求に応じて、測定信号を放射し、
前記送信機は、前記測定信号を受信し、受信した測定信号からスピーカ装置の識別情報を取得して、該測定信号を放射したスピーカ装置を特定するとともに、特定したスピーカ装置への放音用音声信号の放音レベルを受信した測定信号の信号レベルに基づいて決定して、特定したスピーカ装置から該放音レベルに応じた放音用音声信号を放音させる放送システム。
【請求項３】
前記測定信号を受信する受信位置を複数個所設け、
前記送信機は、前記複数のスピーカ装置に対して、前記受信位置毎に前記測定信号の放射要求を行い、前記測定信号の受信位置毎に、放音用音声信号の放音レベルを決定する請求項１又は請求項２に記載の放送システム。
【請求項４】
前記送信機は、同じスピーカ装置の測定信号を異なる受信位置で受信すると、各受信位置の測定信号の信号レベルを比較して、信号レベルが最大の測定信号を受信した受信位置への放音用音声信号を前記スピーカ装置から放音させる請求項３に記載の放送システム。
【請求項５】
前記複数のスピーカ装置は、それぞれ前記送信機からの放射要求に応じて、異なる周波数帯域の測定信号を放射する請求項１〜請求項４に記載の放送システム。
【発明の詳細な説明】
【技術分野】
【０００１】
百貨店や量販店等の店舗における館内放送を行う放送システムに関する。
【背景技術】
【０００２】
従来、百貨店や量販店等の店舗では、顧客に向けて様々な館内放送が行われている（特許文献１参照）。
【０００３】
特許文献１の放送装置は、複数のスピーカ装置を備え、２台の音源に接続される。２台の音源から入力される放音用音声信号は、ユーザにより各スピーカ装置に割り当てられ、各スピーカ装置から放音される。放送装置は、特定の領域に対して、一方の音源から入力された放音用音声信号を放音する場合、特定の領域に対して放音すべきスピーカ装置に対して、一方の音源から入力された放音用音声信号をユーザにより割り当てられている。
【特許文献１】特開２００３−１１０５１３号公報
【発明の開示】
【発明が解決しようとする課題】
【０００４】
しかしながら、特許文献１の放送装置では、複数のスピーカ装置の設置場所を予め知らない場合は、特定の領域へ放音すべきスピーカ装置に対して、放音用音声信号を割り当てることができない。また、複数のスピーカ装置の設置場所を予め知るには、スピーカ装置の設置時に、個々のスピーカ装置を識別するための識別情報と、スピーカ装置の設置場所と対応付けて残しておかなければならない。
【０００５】
そこで、本発明では、スピーカ装置の識別情報に関係なくスピーカ装置を任意の場所に設置することができ、任意の場所に放音用音声信号を放音することができる放送システムを提供することを目的とする。
【課題を解決するための手段】
【０００６】
この発明の放送システムは、複数のスピーカ装置と、これらのスピーカ装置に対して一斉同報型通信可能な送信機と、からなる放送システムであって、前記送信機は、前記複数のスピーカ装置に対して、各スピーカ装置の識別情報を含む測定信号の放射要求を行い、前記複数のスピーカ装置は、それぞれ前記送信機からの放射要求に応じて、測定信号を放射し、前記送信機は、前記測定信号を受信し、受信した測定信号からスピーカ装置の識別情報を取得して、該測定信号を放射したスピーカ装置を特定するとともに、特定したスピーカ装置への放音用音声信号の放音レベルを該測定信号の受信位置と各スピーカ装置との距離に基づいて決定して、特定したスピーカ装置から該放音レベルに応じた放音用音声信号を放音させることを特徴とする。
【０００７】
この構成では、放送システムは、複数のスピーカ装置と、これらのスピーカ装置に対して、電力線通信、ワイヤレスＬＡＮ、有線ＬＡＮやＦＭ等により通信可能な送信機と、から構成される。送信機は、これらのスピーカ装置に対して、自装置の識別情報を含む測定信号（例えば、測定音や測定光）を放射するよう要求する。スピーカ装置は、この要求を受けて測定信号を放射する。送信機は、測定信号を受信して、該測定信号の受信位置とスピーカ装置との距離に基づいて各スピーカ装置から放音する放音用音声信号の放音レベルを決定する。送信機は、各スピーカ装置に対して、放音用音声信号を送信し、決定した放音レベルで放音用音声信号をスピーカ装置から放音させる。具体的に例えば、送信機が、放音レベルと放音用音声信号とをスピーカ装置へ送信し、スピーカ装置が、受信した放音レベルに放音用音声信号の信号レベルを調整して放音する。また、例えば、送信機が、放音用音声信号の信号レベルを決定した放音レベルに調整し、調整後の放音用音声信号をスピーカ装置へ送信し、スピーカ装置が、受信した放音用音声信号を放音する。これにより、送信機は、該測定信号を放射したスピーカ装置が、受信位置の近くに設置されているか、遠くに設置されているかを知ることができる。すなわち、送信機は、受信位置の近くに設置されているスピーカ装置から放音用音声信号を放音させることができる。このため、ユーザは、スピーカ装置の識別情報に関係なく、スピーカ装置を任意の位置に設置することができる。また、ユーザは、測定信号の放射を要求するだけで、任意の場所（例えば、鮮魚売り場や青果売り場）に放音用音声信号を放音するための設定を行うことができる。
【０００８】
また、この発明の放送システムの複数のスピーカ装置と、これらのスピーカ装置に対して一斉同報型通信可能な送信機と、からなる放送システムであって、前記送信機は、前記複数のスピーカ装置に対して、各スピーカ装置の識別情報を含む測定信号の放射要求を行い、前記複数のスピーカ装置は、それぞれ前記送信機からの放射要求に応じて、測定信号を放射し、前記送信機は、前記測定信号を受信し、受信した測定信号からスピーカ装置の識別情報を取得して、該測定信号を放射したスピーカ装置を特定するとともに、特定したスピーカ装置への放音用音声信号の放音レベルを受信した測定信号の信号レベルに基づいて決定して、特定したスピーカ装置から該放音レベルに応じた放音用音声信号を放音させることを特徴とする。
【０００９】
この構成では、放送システムは、複数のスピーカ装置と、これらのスピーカ装置に対して、電力線通信、ワイヤレスＬＡＮ、有線ＬＡＮやＦＭ等により通信可能な送信機と、から構成される。送信機は、これらのスピーカ装置に対して、自装置の識別情報を含む測定信号（例えば、測定音や測定光）を放射するよう要求する。スピーカ装置は、この要求を受けて測定信号を放射する。送信機は、測定信号を受信して、受信した測定信号の信号レベルに基づいて各スピーカ装置から放音する放音用音声信号の放音レベルを決定する。送信機は、各スピーカ装置に対して、放音用音声信号を送信し、決定した放音レベルで放音用音声信号をスピーカ装置から放音させる。これにより、送信機は、受信した測定信号の信号レベルに基づいて、受信位置へ放音可能な範囲のスピーカ装置を特定することができる。例えば、スピーカ装置から放音された放音用音声信号が店舗内に設置された柱や陳列棚等に反射して、該スピーカ装置の近くの場所であっても、放音した放音用音声信号が届かない場合がある。このような場合であっても、放送システムでは、実際に測定信号を放射して、受信した測定信号の信号レベルを調べているので、放音用音声信号が届くスピーカ装置を確実に特定することができる。このため、ユーザは、スピーカ装置の識別情報に関係なく、スピーカ装置を任意の位置に設置することができる。また、ユーザは、測定信号の放射を要求するだけで、任意の場所（例えば、鮮魚売り場や青果売り場）に放音用音声信号を放音するための設定を行うことができる。
【００１０】
更に、この発明の放送システムの前記測定信号を受信する受信位置を複数個所設け、前記送信機は、前記複数のスピーカ装置に対して、前記受信位置毎に前記測定信号の放射要求を行い、前記測定信号の受信位置毎に、放音用音声信号の放音レベルを決定することを特徴とする。
【００１１】
この構成では、送信機は、複数の受信位置で、測定信号の放射要求を行い、測定信号を受信する。そして、送信機は、測定信号の受信位置毎に、放音用音声信号の放音レベルを決定する。この際、放音用音声信号は、受信位置毎に異なる信号であってもよいし、同じ信号であってもよい。これにより、放送システムは、複数の受信位置のそれぞれに応じた放音用音声信号を放音することができる。このため、ユーザは、受信位置を移動することで、受信位置に応じた放音用音声信号を聞くことができる。
【００１２】
加えて、この発明の放送システムの前記送信機は、同じスピーカ装置の測定信号を異なる受信位置で受信すると、各受信位置の測定信号の信号レベルを比較して、信号レベルが最大の測定信号を受信した受信位置への放音用音声信号を前記スピーカ装置から放音させることを特徴とする。
【００１３】
この構成では、送信機は、同じスピーカ装置からの測定信号を異なる受信位置で受信すると、これらの測定信号の信号レベルを比較して、信号レベルが最大の測定信号を受信した受信位置へ放音用音声信号を放音させる。これにより、各受信位置のセパレーションを改善することができる。
【００１４】
また、この発明の放送システムの前記複数のスピーカ装置は、それぞれ前記送信機からの放射要求に応じて、異なる周波数帯域の測定信号を放射することを特徴とする。
【００１５】
この構成では、各スピーカ装置は、それぞれ異なる周波数帯域の測定信号を放射する。これにより、各スピーカ装置から放射された測定信号の衝突を防ぐことができる。
【発明の効果】
【００１６】
この発明の放送システムは、スピーカ装置の識別情報に関係なくスピーカ装置を任意の位置に設置することができ、測定信号の放射を要求するだけで、任意の場所に放音用音声信号を放音するための設定を行うことができる。
【発明を実施するための最良の形態】
【００１７】
本発明の実施形態に係る放送システムについて、図１を参照して説明する。図１は、放送システムの使用方法を説明するための図である。図１（Ａ）〜図１（Ｃ）は、各売り場への放音すべきスピーカ装置を検出する例を示す。
【００１８】
図１に示すように、この放送システム１００は、天井に設置された複数のスピーカ装置２ａ〜２ｅと、これら複数のスピーカ装置２ａ〜２ｅと電力線通信（以下、ＰＬＣ通信と称す。）可能な送信機１と、から構成される。また、放送システム１００は、百貨店やスーパ等の店舗に導入される。
【００１９】
店舗には、売り場４１〜４３が設置されており、売り場４１〜４３の天井には、複数のスピーカ装置２ａ〜２ｅが設置されている。これらのスピーカ装置２ａ〜２ｅは、自装置を特定する識別情報に関係なく店舗の天井に設置されている。また、送信機１は、装置の本体が従業員専用の居室内に設置されており、持ち運び可能なマイクＭＩＣを備えている。また、送信機１と複数のスピーカ装置２ａ〜２ｅとは、それぞれ電力線３に接続されている。この電力線３には、ＴＤＭ方式により各種制御信号を送信するための汎用チャンネルＣＨ０と、３つの音声通信用チャンネルＣＨ１〜ＣＨ３と、が割り当てられているものとする。なお、本実施形態では、５台のスピーカ装置２ａ〜２ｅを備えた構成を示したがこれに限らず、仕様に応じて適宜設定すればよい。また、各スピーカ装置２ａ〜２ｅの設置場所も店舗の天井に限らず、各売り場４１〜４３に対して放音可能な位置に設置されていればよく、仕様に応じて適宜設定すればよい。
【００２０】
放送システム１００は、グルーピングモードと放音モードとを備える。グルーピングモードは、各売り場４１〜４３に対して放音すべきスピーカ装置２ａ〜２ｅを特定して、各売り場４１〜４３に異なる音声が放音されるように売り場４１〜４３に対して放音すべきスピーカ装置２ａ〜２ｅをグループ化するモードである。また、放音モードは、グループ化されたスピーカ装置２ａ〜２ｅから、該当グループに応じた放音用音声信号を放音するモードである。
【００２１】
具体的には、図１（Ａ）に示すように、グルーピングモードでは、まず、送信機１のマイクＭＩＣを売り場４１の略中心部に配置する。その後、送信機１は、スピーカ装置２ａ〜２ｅに対して、測定音の放音を要求する測定音放音要求信号を送信する。スピーカ装置２ａ〜２ｅは、測定音放音要求信号を受信すると、自装置内に記憶する測定音を放音する。送信機１は、スピーカ装置２ａ，２ｂからの測定音をマイクＭＩＣにて収音することで、マイクＭＩＣにて収音可能な範囲に設置されているスピーカ装置２ａ，２ｂを検出し、グループＧ１としてグループ化する。また、放音モードでは、送信機１は、グループＧ１のスピーカ装置２ａ，２ｂに対して、売り場４１に応じた放音用音声信号を送信する。すなわち、売り場４１に放音すべきグループＧ１のスピーカ装置２ａ，２ｂに対して、売り場４１に応じた放音用音声信号を送信する。グループＧ１のスピーカ装置２ａ，２ｂは、受信した放音用音声信号を放音する。
【００２２】
同様に、図１（Ｂ）に示すように、送信機１は、売り場４２に、収音可能な範囲に設置されているスピーカ装置２ｂ〜２ｄを検出して、グループＧ２としてグループ化する。そして、送信機１は、グループＧ２のスピーカ装置２ｂ〜２ｄに対して、売り場４２に応じた放音用音声信号を送信する。また、図１（Ｃ）に示すように、送信機１は、売り場４３に、収音可能な範囲に設置されているスピーカ装置２ｄ，２ｅを検出して、グループＧ３としてグループ化する。そして、送信機１は、グループＧ３のスピーカ装置２ｄ，２ｅに対して、売り場４３に応じた放音用音声信号を送信する。
【００２３】
次に、本実施形態に係る放送システム１００の機能、構成について、図２〜図４を参照して説明する。図２は、放送システムの機能、構成を示すブロック図である。図３は、放音音量を決定する放音音量決定表の一例を示す図である。図４は、放音レベルの算出結果の一例を示す図である。
【００２４】
図２に示すように、送信機１は、操作部１０、制御部１１、出力制御部１２、表示部１３、マイクＭＩＣ、ＡＭＰ１４、Ａ／Ｄ変換部１５、識別情報検出部１６、記憶部１７、及び一時記憶部１８を備える。
【００２５】
操作部１０は、ユーザからの操作入力を受け付け、操作入力に応じた操作信号を制御部１１へ出力する。例えば、モードの指定や、グループの指定、グループのチャンネル割当等である。
【００２６】
制御部１１は、操作部１０からの操作信号を受けて、出力制御部１２、及び識別情報検出部１６を制御する。
【００２７】
制御部１１は、グルーピングモードを指定する操作信号が入力されると、グルーピングモードに切り替わり、表示部１３にグループを入力するよう表示する。制御部１１は、グループを指定する操作信号が入力されると、出力制御部１２に対して、測定音の放音要求を行うよう指示する。
【００２８】
また、制御部１１は、識別情報検出部１６から識別情報と測定信号とが入力されると、識別情報に基づいてスピーカ装置を識別するとともに、測定信号の振幅を測定する。制御部１１は、記憶部１７に記憶した放音音量決定表（図３参照）を参照して、測定信号の振幅に応じた放音レベルを算出する。制御部１１は、各グループについて、スピーカ装置毎に算出した放音レベルを一時記憶部１８へ記憶する。この放音レベルは、スピーカ装置が出力可能な最大音量を１００％とし、無音を０％として表す。また、制御部１１は、識別情報検出部１６から誤り検出信号が入力されると、表示部１３にメッセージ「グルーピングに失敗しました。」を表示する。
【００２９】
更に、制御部１１は、放音モードを指定する操作信号が入力されると、放音モードに切り替わり、一時記憶部１８に記憶した放音レベルの算出結果（図４参照）に基づいて、放音制御信号を生成して、出力制御部１２へ出力する。そして、制御部１１は、放音用音声信号を記憶部１７から取得して、出力制御部１２へ出力する。
【００３０】
また、放音制御信号は、この放音制御信号の送信先のスピーカ装置を特定するためのスピーカ装置情報と、スピーカ装置が属するグループＧ１〜Ｇ３を示すグループ情報と、該グループ情報に含まれる各グループＧ１〜Ｇ３に対する放音レベルと、から構成される。具体的に例えば、スピーカ装置２ａ宛ての放音制御信号は、スピーカ装置情報（スピーカ装置２ａ）、グループ情報（グループＧ１，Ｇ２）、放音レベル（グループＧ１：９６％，グループＧ２：４％）となる。
【００３１】
出力制御部１２は、制御部１１からの指示に基づいて、電力線３に接続されているスピーカ装置２ａ〜２ｅに対して、各種信号を送信する。この電力線３の各音声通信用チャンネルＣＨ１〜ＣＨ３には、操作部１０から入力されたグループのチャンネル割当により、それぞれグループＧ１〜Ｇ３が割り当てられているものとする。
【００３２】
具体的には、出力制御部１２は、測定音放音要求信号及び放音制御信号を汎用チャンネルＣＨ０へ出力する。また、出力制御部１２は、グループＧ１の放音用音声信号を音声通信用チャンネルＣＨ１へ出力し、グループＧ２の放音用音声信号を音声通信用チャンネルＣＨ２へ出力し、グループＧ３の放音用音声信号を音声通信用チャンネルＣＨ３へ出力する。
【００３３】
表示部１３は、所謂モニタであり、制御部１１から出力された各種メッセージを表示する。
【００３４】
マイクＭＩＣは、無指向性マイクであり、送信機１とワイヤレスで接続される。マイクＭＩＣは、複数のスピーカ装置２ａ〜２ｅから放音された測定音を収音して、測定信号を生成する。この測定信号は、ＡＭＰ１４で増幅された後、Ａ／Ｄ変換部１５にてアナログ形式からデジタル形式に変換された後、識別情報検出部１６へ出力される。
【００３５】
識別情報検出部１６は、識別情報とＣＲＣ（Ｃｙｃｌｉｃ  Ｒｅｄｕｎｄａｎｃｙ  Ｃｈｅｃｋ）コードとを含む測定信号に対して、ＣＲＣを用いて誤り検出を行う。具体的には、測定信号から識別情報とＣＲＣコードとを取得し、該取得した識別情報に基づいてＣＲＣコードを生成する。識別情報検出部１６は、生成したＣＲＣコードと測定信号に含まれるＣＲＣコードとが一致するか否かを調べる。識別情報検出部１６は、一致した場合は、測定信号から取得した識別情報と該測定信号とを制御部１１へ出力し、一致しない場合は、誤り検出信号を制御部１１へ出力する。なお、測定信号の誤り検出に、ＣＲＣを用いたが、これに限らず、仕様に応じて適宜設定すればよい。
【００３６】
記憶部１７は、図３に示す放音音量決定表と、各スピーカ装置２ａ〜２ｅから放音する放音用音声信号とを記憶する。放音音量決定表には、測定信号の振幅に基づいて、放音レベルが定められている。放音音量決定表は、縦軸が放音用音声信号の放音レベルを示し、横軸がＡ／Ｄ変換後の測定信号の振幅（２５６ｂｉｔのＣＰＵを用いた場合）を示す。例えば、測定音の振幅が１００未満では、放音レベルが０％となる。そして、測定音の振幅が１００以上になると、放音レベルが０から増加し、測定音の振幅が２５５のとき、放音レベルが１００％となる。なお、図３に示す放音音量決定表は例示であり、これに限らず、仕様に応じて適宜設定すればよい。また、放音用音声信号は、再生装置から入力されてもよく、仕様に応じて適宜設定すればよい。
【００３７】
一時記憶部１８は、放音レベルの算出結果を一時記憶する。図４に示すように、放音レベルの算出結果とは、放音音量決定表に基づいて算出した、各スピーカ装置に対するグループ毎の放音レベルのことである。
【００３８】
また、スピーカ装置２ａは、入力制御部２１、制御部２２、記憶部２３、放音制御部２４、Ｄ／Ａ変換部２５、ＡＭＰ２６、及びスピーカＳＰから構成される。なお、スピーカ装置２ａ〜２ｅの機能、構成が同じなので、スピーカ装置２ａについて機能、構成を説明する。
【００３９】
入力制御部２１は、送信機１から出力された各種信号のうち、自装置に必要な信号のみを選択して、制御部２２、及び放音制御部２４へ出力する。入力制御部２１は、測定音の放音要求を示す測定音放音要求信号を汎用チャンネルＣＨ０から受信すると、制御部２２へ出力する。また、入力制御部２１は、汎用チャンネルＣＨ０から放音制御信号を受信すると、放音制御信号に含まれるスピーカ装置情報を参照して、放音制御信号が自装置宛ての信号であるかを調べる。そして、入力制御部２１は、自装置宛ての放音制御信号のみを取得して、制御部２２へ出力する。
【００４０】
また、入力制御部２１は、放音制御信号に含まれるグループ情報を参照して、自装置が含まれるグループに対応する音声通信用チャンネルＣＨ１〜ＣＨ３から放音用音声信号を受信して、放音制御部２４へ出力する。例えば、スピーカ装置２ａの場合、自装置が含まれるグループＧ１，Ｇ２に対応する音声通信用チャンネルＣＨ１，ＣＨ２から放音用音声信号を受信して、放音制御部２４へ出力する。
【００４１】
制御部２２は、入力制御部２１から測定音放音要求信号が入力されると、任意の時間経過後に、記憶部２３から識別情報を取得する。制御部２２は、識別情報に該識別情報のＣＲＣコードを付与して測定信号を生成し、放音制御部２４へ出力する。また、制御部２２は、入力制御部２１から放音制御信号が入力されると、放音制御信号の放音レベルに基づいて、放音制御部２４を制御する。
【００４２】
記憶部２３は、自装置を識別する識別情報を記憶する。
【００４３】
放音制御部２４は、制御部２２から測定信号が入力されると、Ｄ／Ａ変換部２５へ出力する。また、放音制御部２４は入力制御部２１から放音用音声信号が入力されると、制御部２２の指示に基づいて、放音用音声信号の放音音量を調整して、ミキシングした後、Ｄ／Ａ変換部２５へ出力する。
【００４４】
この測定信号や放音用音声信号は、Ｄ／Ａ変換部２５にてデジタル形式からアナログ形式に変換され、ＡＭＰ２６にて増幅された後、スピーカＳＰから放音される。
【００４５】
次に、モード毎の送信機１とスピーカ装置２ａ〜２ｅの処理について、図５，図６を参照して説明する。図５は、グルーピングモード時の処理の流れを示す処理フローである。図６は、放音モード時の処理の流れを示す処理フローである。なお、説明の簡単化のため、スピーカ装置２ａ〜２ｅでの処理は同じなので、スピーカ装置２ａの処理について説明する。
【００４６】
まず、グルーピングモード時の処理の流れについて説明する。図５に示すように、ユーザは、送信機１のマイクＭＩＣを売り場４１の略中央に設置する（Ｓ１０１）。送信機１の操作部１０が「グルーピングモードの指定」の入力を受け付けると（Ｓ１０２：Ｙｅｓ）、グルーピングモードを指定する操作信号を制御部１１へ出力して、ステップＳ１０３以降の処理を行う。なお、「グルーピングモードの指定」の入力を受け付けるまでは（Ｓ１０２：Ｎｏ）、ステップＳ１０３以降の処理を行わずに、待機している。
【００４７】
ステップＳ１０３にて、操作部１０が「グループの指定（グループＧ１）」の入力を受け付けると（Ｓ１０３：Ｙｅｓ）、グループＧ１を指定する操作信号を制御部１１へ出力して、ステップＳ１０４以降の処理を行う。なお、「グループの指定」の入力を受け付けるまでは（Ｓ１０３：Ｎｏ）、ステップＳ１０４以降の処理を行わずに、待機している。
【００４８】
ステップＳ１０４にて、制御部１１は、測定音放音要求信号を出力制御部１２から送信させる。
【００４９】
スピーカ装置２ａの入力制御部２１は、測定音放音要求信号を受信すると（Ｓ１２１：Ｙｅｓ）、測定音放音要求信号を制御部２２へ出力して、ステップＳ１２２の処理を行う。なお、測定音放音要求信号を受信するまでは（Ｓ１２１：Ｎｏ）、ステップＳ１２２の処理を行わずに、待機している。
【００５０】
ステップＳ１２２にて、制御部１１は、記憶部２３から識別情報を取得して、該識別情報に該識別情報のＣＲＣコードを付与して測定信号を生成し、放音制御部２４にスピーカＳＰから測定音を放音させる。この測定音の放音は、測定音放音要求信号を受信してから任意の時間が経過した後に行われる。これにより、スピーカ装置２ａから放音した測定音と、他のスピーカ装置２ｂ〜２ｅからの測定音と、の衝突を低減することができる。
【００５１】
送信機１のマイクＭＩＣは、測定音を収音すると（Ｓ１０５：Ｙｅｓ）、測定信号を生成して制御部１１へ出力し、ステップＳ１０６以降の処理を行う。なお、測定音放音要求信号を受信してから所定時間経過しても測定音を収音しない場合（Ｓ１０５：Ｎｏ）、マイクＭＩＣの収音範囲外にスピーカ装置２ａが設置されていることを意味するので、放音レベルを０％として、ステップＳ１１１の処理を行う。この場合、スピーカ装置２ａから放音された放音用音声信号が、売り場４１で聞こえないことを意味するので、スピーカ装置２ａはグループＧ１のスピーカ装置に該当しない。
【００５２】
ステップＳ１０６にて、制御部１１は、測定信号から識別情報を識別情報検出部１６に取得させる。この際、識別情報検出部１６は、ＣＲＣを用いて測定信号の誤り検出を行う。誤りを検出しない場合（すなわち、識別情報の取得に成功した場合）（Ｓ１０７：Ｙｅｓ）、ステップＳ１０９以降の処理を行う。誤りを検出する場合（すなわち、識別情報の取得に失敗した場合）（Ｓ１０７：Ｎｏ）、制御部１１へ誤り検出信号を出力する。制御部１１は、表示部１３にエラーメッセージ「グルーピングに失敗しました。」を表示させる（Ｓ１０８）。なお、識別情報の取得に失敗した場合とは、複数の測定信号が同時に収音されたことが考えられる。この場合、測定音放音要求信号を受信した各スピーカ装置２ａ〜２ｅはタイミングを変更して測定音を放音するので、グループＧ１について測定音の放音要求を再度行うことで、解消することができる。
【００５３】
ステップＳ１０９にて、制御部１１は、測定信号の振幅を算出する。制御部１１は、記憶部１７に記憶した放音音量決定表を参照して、測定信号の振幅に基づいて、適切な放音レベルを算出する（Ｓ１１０）。制御部１１は、スピーカ装置の識別情報とグループとに基づいて放音レベルを一時記憶部１８に記憶する（Ｓ１１１）。各スピーカ装置２ａ〜２ｅのそれぞれに対して、上述のステップＳ１０５〜Ｓ１１１の処理を行うことで、グループＧ１のグルーピングを完了する。また、売り場４２，４３に対して、上述のステップＳ１０２〜Ｓ１１１の処理を行うことで、グループＧ２，Ｇ３のグルーピングを完了する。
【００５４】
次に、放音モード時の処理の流れについて説明する。図６に示すように、送信機１の操作部１０が「放音モードの指定」の入力を受け付けると（Ｓ１４１：Ｙｅｓ）、放音モードを指定する操作信号を制御部１１へ出力して、ステップＳ１４２以降の処理を行う。なお、「放音モードの指定」の入力を受け付けるまでは（Ｓ１４２：Ｎｏ）、ステップＳ１４２以降の処理を行わずに、待機している。
【００５５】
ステップＳ１４２にて、制御部１１は、一時記憶部１８に記憶する放音レベルの算出結果に基づいて、各スピーカ装置２ａ〜２ｅへの放音制御信号を生成する。制御部１１は、出力制御部１２から放音制御信号を各スピーカ装置２ａ〜２ｅへ送信させる（Ｓ１４３）。そして、制御部１１は、所定時間が経過すると、グループ毎の放音用音声信号を送信する（Ｓ１４４）。
【００５６】
スピーカ装置２ａの入力制御部２１は、放音制御信号を受信すると（Ｓ１６１：Ｙｅｓ）、放音制御信号に基づいて、放音用音声信号の受信を開始する（Ｓ１６２）。なお、放音制御信号を受信するまで（Ｓ１６１：Ｎｏ）、入力制御部２１は、ステップＳ１６２以降の処理を行わずに、待機している。
【００５７】
スピーカ装置２ａは、放音用音声信号を受信すると（Ｓ１６２：Ｙｅｓ）、放音制御信号に基づいて、放音用音声信号の放音レベルを設定して放音する（Ｓ１６３）。この際、スピーカ装置２ａは、グループＧ１，Ｇ２の放音用音声信号に対して放音レベルに応じた音量調整を行い、ミキシングを行う。なお、放音用音声信号を受信するまでは（Ｓ１６２：Ｎｏ）、ステップＳ１６３以降の処理を行わずに、待機している。以上のように、送信機１は、スピーカ装置２ａに対して、グループＧ１〜Ｇ３の放音用音声信号のそれぞれをどの放音レベルで放音するかを通知する。そして、スピーカ装置２ａは、グループＧ１〜Ｇ３の放音用音声信号のうち、自装置から放音する放音用音声信号のみを取得して、取得した放音用音声信号を適切な放音レベルで放音することができる。
【００５８】
以上より、送信機１は、売り場４１に配置したマイクＭＩＣにて収音可能な範囲に設置されているスピーカ装置２ａ，２ｂをグループ１としてグループ化した。そして、送信機１は、グループ１のスピーカ装置２ａ，２ｂに対して、グループ１の放音用音声信号を送信した。これにより、各スピーカ装置２ａ〜２ｅがどの売り場４１〜４３の周囲に設置されているかわからない状態であっても、ユーザは、上述の簡単な操作を行い、測定音の放音を要求するだけで、売り場４１へ放音可能な範囲に設置されたスピーカ装置２ａ，２ｂから、グループＧ１の放音用音声信号（すなわち、売り場４１用の放音用音声信号）を売り場４１へ放音するための設定を行うことができる。
【００５９】
また、送信機１は、測定音の振幅に応じて、マイクＭＩＣ（すなわち、売り場４１の略中央）から各スピーカ装置２ａ〜２ｅまでの大体の距離を知ることができるので、売り場４１の近くに設置されているスピーカ装置を特定することができる。これにより、売り場４１の近くに設置されたスピーカ装置から売り場４１に向けて放音することができる。
【００６０】
更に、売り場４１の近くに設置されているスピーカ装置であっても、店舗の柱や陳列棚等により放音用音声信号が反射して、売り場４１への放音が届かない場合がある。このような場合であっても、測定音の振幅に応じて各スピーカ装置２ａ〜２ｅをグループ化しているので、売り場４１へ放音が確実に届くスピーカ装置２ａ，２ｂを特定することができる。これにより、売り場４１へ放音が確実に届くスピーカ装置２ａ，２ｂから売り場４１に向けて放音することができる。
【００６１】
なお、本実施形態では、送信機１とスピーカ装置２ａ〜２ｅとの間でＰＬＣ通信を行ったが、ワイヤレスＬＡＮや有線ＬＡＮやＦＭ等による通信を行ってもよい。また、放送システム１００は、屋内に限らず、屋外にも導入することができる。
【００６２】
また、本実施形態では、複数グループＧ１〜Ｇ３に対して１台の送信機１を用いて、放音用音声信号を送信した。しかし、各グループＧ１〜Ｇ３に対して異なる送信機１を用いて、放音用音声信号を送信してもよい。すなわち、各売り場４１〜４３に対して、専用の送信機１を設けてもよい。
【００６３】
更に、本実施形態では、全ての売り場４１〜４３に対して、スピーカ装置のグループ化を行った。しかし、特定の売り場に対してのみ、スピーカ装置のグループ化を行ってもよい。また、グループ化が完了している売り場４１〜４３のうち、売り場４１のみに対してグループ化を再度行ってもよい。
【００６４】
加えて、本実施形態では、各売り場４１〜４３について測定音の放音を１回行うことでスピーカ装置をグループ化した。しかし、売り場４１〜４３の面積に応じて、測定音の放音回数を変更してスピーカ装置をグループ化してもよい。図７は、売り場の面積に応じたグループ化の説明に用いる図である。例えば面積が小さい売り場４１では、測定音の放音を１回行うことでスピーカ装置をグループ化して、面積が大きい売り場４２では、図７に示すように、マイクＭＩＣの配置場所を変更して、測定音の放音を複数回行うことでスピーカ装置をグループ化してもよい。この場合、同じ売り場４２にある複数のグループに１つの音声通信用チャンネルを割り当てる。これにより、面積が大きい売り場４２であっても、売り場４２の略中心（マイクＭＩＣを配置した場所）だけでなく、売り場４２の略中心から離れた場所に対しても放音用音声信号を放音することができる。
【００６５】
また、本実施形態では、送信機１は、放音レベルの算出結果（図４参照）に基づいて、放音制御信号を生成した。しかし、送信機１は、放音レベルの算出結果に基づいて、各スピーカ装置２ａ〜２ｅの放音レベルを調整した後、調整後の放音レベルに基づいて放音制御信号を生成してもよい。例えば、１台のスピーカ装置２から放音される放音用音声信号の放音レベルの合計が１００％を超える場合は、合計して１００％となるように調整してもよい。また、例えば、１台のスピーカ装置から放音される放音用音声信号の放音レベルの合計が１００％に満たない場合は、合計して１００％となるように調整してもよい。加えて、例えば、放音レベルが最大のグループの放音用音声信号のみを放音するよう調整してもよい。この場合、放音レベルが最大のグループを除いて、他のグループの放音レベルを０％にする。具体的に例えば、スピーカ装置２ａの場合、グループＧ１の放音レベルを９６％とし、グループＧ２，Ｇ３の放音レベルを０％とする。このように、各スピーカ装置２ａ〜２ｅへ１つのグループの放音のみを行うことで、各グループＧ１〜Ｇ３のセパレーションを改善することができる。すなわち、各売り場４１〜４３のセパレーションを改善することができる。
【００６６】
更に、本実施形態では、放音機能のみを有するスピーカ装置２ａ〜２ｅを用いて、測定音を放音することで、各スピーカ装置２ａ〜２ｅのそれぞれをグループ化した。しかし、照明一体型スピーカ装置を用いてもよい。この場合、照明一体型スピーカ装置から測定音を放音してもよいし、スピーカ装置の識別情報を含む測定光（測定するための光）を発光させてもよい。測定光を用いる場合、マイクの代わりに受光器（例えば、フォトダイオード）を用いて測定光を受光し、受光した測定光の光量に応じて、放音レベルを算出すればよい。
【００６７】
加えて、本実施形態では、各スピーカ装置２ａ〜２ｅから放音された測定音の衝突を防ぐために、各スピーカ装置２ａ〜２ｅは、測定音の放音要求信号を受信してから任意の時間が経過した後に、測定音を放音した。しかし、各スピーカ装置２ａ〜２ｅは、異なる周波数成分からなる測定音を放音することで、測定音の衝突を防いでもよい。
【００６８】
また、本実施形態では、各スピーカ装置２ａ〜２ｅから放音された測定音の振幅に応じて、放音レベルを算出した。しかし、測定音の放音から収音までの経過時間に基づいて、各スピーカ装置２ａ〜２ｅとマイクＭＩＣまでの距離を算出し、算出した距離に応じて、放音レベルを算出してもよい。この場合、各スピーカ装置２ａ〜２ｅは、測定音を放音するとともに、測定音を放音したことを通知する通知信号を送信機１へ送信する。送信機１は、通知信号の受信から、測定音の収音までの経過時間に基づいて、測定音の放音から収音までの経過時間を測定すればよい。
【００６９】
更に、本実施形態では、３つの音声通信用チャンネルＣＨ１〜ＣＨ３と、汎用チャンネルＣＨ０と、をＴＤＭ方式により電力線３に割り当てられた。しかし、チャンネルを割り当てる方式及び、チャンネル数はこれに限らず仕様に応じて適宜設定すればよい。また、各グループＧ１〜Ｇ３に応じた放音用音声信号を同じチャンネルに送信する場合は、放音用音声信号のグループを示すヘッダ情報を放音用音声信号とともに送信すればよい。
【００７０】
加えて、本実施形態では、各スピーカ装置２ａ〜２ｅのそれぞれが、グループ毎の放音レベルとグループ毎の放音用音声信号とを送信機１から受信して、放音レベルに応じた音量調整とミキシングとを行った。しかし、スピーカ装置２ａ〜２ｅに対して、十分多くのチャンネル数を確保できる場合には、送信機１が放音レベルに応じた音量調整を行ってもよい。例えば、スピーカ装置２ａを例に挙げると、送信機１は、スピーカ装置２ａに音声通信用チャンネルＣＨ１，ＣＨ２の放音用音声信号を放音するように通知する。そして、送信機１は、グループＧ１の放音用音声信号を９６％の放音レベルに設定して、音声通信用チャンネルＣＨ１に出力し、グループＧ２の放音用音声信号を４％の放音レベルに設定して、音声通信用チャンネルＣＨ２に出力する。スピーカ装置２ａは、音声通信用チャンネルＣＨ１，ＣＨ２から放音用音声信号を取得して、取得した放音用音声信号をミキシングして放音する。また、例えば、送信機１は、スピーカ装置２ａに音声通信用チャンネルＣＨ１の放音用音声信号を放音するように通知する。送信機１は、グループＧ１の放音用音声信号を９６％の放音レベルに設定して、グループＧ２の放音用音声信号を４％の放音レベルに設定する。送信機１は、９６％の放音レベルのグループＧ１の放音用音声信号と４％の放音レベルのグループＧ２の放音用音声信号とをミキシングして、音声通信用チャンネルＣＨ１に出力する。そして、スピーカ装置２ａは、音声通信用チャンネルＣＨ１から放音用音声信号を取得して、取得した放音用音声信号をそのまま放音する。
【図面の簡単な説明】
【００７１】
【図１】放送システムの使用方法を説明するための図である。
【図２】放送システムの機能、構成を示すブロック図である。
【図３】放音音量を決定する放音音量決定表の一例を示す図である。
【図４】放音レベルの算出結果の一例を示す図である。
【図５】グルーピングモード時の処理の流れを示す処理フローである。
【図６】放音モード時の処理の流れを示す処理フローである。
【図７】売り場の面積に応じたグループ化の説明に用いる図である。
【符号の説明】
【００７２】
１…送信機，２ａ〜２ｅ…スピーカ装置，３…電力線，１０…操作部，１１…制御部，１２…出力制御部，１３…表示部，１４…ＡＭＰ，１５…Ａ／Ｄ変換部，１６…識別情報検出部，１７…記憶部，１８…一時記憶部，２１…入力制御部，２２…制御部，２３…記憶部，２４…放音制御部，２５…Ｄ／Ａ変換部，２６…ＡＭＰ，４１〜４３…売り場，１００…放送システム，Ｇ１〜Ｇ３…グループ，ＭＩＣ…マイク，ＳＰ…スピーカ
【図１】
2009253421.tif 000003
【図２】
2009253421.tif 000004
【図３】
2009253421.tif 000005
【図４】
2009253421.tif 000006
【図５】
2009253421.tif 000007
【図６】
2009253421.tif 000008
【図７】
2009253421.tif 000009